(57)【要約】【課題】不陸を目立たなくすることができる化粧シートを提供する。【解決手段】化粧シート２０は、凹凸面としての表面２１を有する。化粧シートの法線方向ｎｄに対して８２°傾斜した方向から表面２１に光を投射した場合、化粧シートの法線方向からの観察において長さｄが３ｍｍ以上且つ幅ｗが３ｍｍ以上の影ｂが形成される。【選択図】図１
2018100502.tif 000002
【特許請求の範囲】
【請求項１】
凹凸面としての表面を有した化粧シートであって、
化粧シートの法線方向に対して８２°傾斜した方向から前記表面に光を投射した場合、化粧シートの法線方向からの観察において長さｄが３ｍｍ以上且つ幅ｗが３ｍｍ以上の影が形成される、化粧シート。
【請求項２】
前記表面の高さを示すヒストグラムにおいて、最も度数が多い区間および二番目に度数が多い区間の一方の平均高さは、前記最も度数が多い区間および前記二番目に度数が多い区間の他方の平均高さの２／３以下である、請求項１に記載の化粧シート。
【請求項３】
凹凸面としての表面を有した化粧シートであって、
前記表面の高さを示すヒストグラムにおいて、最も度数が多い区間および二番目に度数が多い区間の一方の平均高さは、前記最も度数が多い区間および前記二番目に度数が多い区間の他方の平均高さの２／３以下である、化粧シート。
【請求項４】
請求項１〜３のいずれか一項に記載された化粧シートと、
前記化粧シートを積層された下地材と、を備える化粧ボードであって、
前記下地材の前記化粧シートを貼合される被覆面は、部分的な凹凸を有し、
前記化粧ボードの法線方向に対して８２°傾斜した方向から前記化粧シートが積層されていない前記下地材の前記被覆面に光を投射した場合における、前記化粧ボードの前記法線方向から観察される前記凹凸に起因した影の長さを基準長さとして、前記化粧ボードの法線方向に対して８２°傾斜した方向から、前記被覆面の前記凹凸上に位置しない領域となる前記化粧シートの前記表面に、光を投射した場合、前記化粧ボードの前記法線方向から観察において基準長さ以上の長さの影が形成される、化粧ボード。
【請求項５】
凹凸面としての表面を有した化粧シートと、
前記化粧シートを積層された下地材と、を備える化粧ボードであって、
前記下地材の前記化粧シートを貼合される被覆面は、部分的な凹凸を有し、
前記化粧ボードの法線方向に対して８２°傾斜した方向から前記化粧シートが積層されていない前記下地材の前記被覆面に光を投射した場合における、前記化粧ボードの前記法線方向から観察される前記凹凸に起因した影の長さを基準長さとして、前記化粧ボードの法線方向に対して８２°傾斜した方向から、前記被覆面の前記凹凸上に位置しない領域となる前記化粧シートの前記表面に、光を投射した場合、前記化粧ボードの前記法線方向から観察において基準長さ以上の長さの影が形成される、化粧ボード。
【発明の詳細な説明】
【技術分野】
【０００１】
本発明は、化粧シート及び化粧ボードに係り、とりわけ不陸を目立たなくすることに優れた化粧シート及び化粧ボードに関する。
【背景技術】
【０００２】
従来、建築物の壁、床、天井等の内装材又は外装材、車両等の内装材又は外装材、家具、家電製品等の表面に対して、化粧シートが使用されている（例えば特許文献１）。化粧シートは、その表面を凹凸面として形成されており、意匠性向上に寄与し得る。化粧シートは、内装材の分野において、石膏ボードや樹脂性パネル等からなる下地材に貼合され、化粧ボードを構成する。また、化粧シートは、家具等の分野において、樹脂板や木製板材等からなる下地材に貼合され、化粧ボードを構成する。
【先行技術文献】
【特許文献】
【０００３】
【特許文献１】特開２０１０−１５０７０２
【発明の概要】
【発明が解決しようとする課題】
【０００４】
化粧シートを積層される下地材の被覆面は、通常、平坦面である。平坦面としての被覆面に積層された化粧シートは、その表面の凹凸形状に応じた意匠性を発現することができる。しかしながら、下地材の被覆面に、「不陸」と呼ばれる凹凸が形成されていることもある。典型的な不陸として、下地材を固定するための螺子等の留め具に関連した凹凸が例示される。下地材を固定するための螺子等の留め具を用いる場合、下地材には螺子頭部が収容される穴が形成される。螺子頭部が、下地材の穴に完全に収容される場合には、螺子頭部上となる位置に凹部としての不陸が形成される。また、螺子頭部が下地材の被覆面から突出している場合、螺子頭部自体が凸部としての不陸を形成する。又、下地材に目地溝が存在する場合には、斯かる目地溝が凹部としての不陸を形成する。其の他、下地材の表面易は、各種不陸を有する場合が有り得る。
【０００５】
そして、このような不陸の存在が化粧シート上から視認されることもあり、この場合、意匠性を大きく劣化させることになる。
【０００６】
本発明は、以上の点を考慮してなされたものであり、不陸を目立たなくすることができる化粧シート及び化粧ボードを提供することを目的とする。
【課題を解決するための手段】
【０００７】
本発明による第１の化粧シートは、
凹凸面としての表面を有した化粧シートであって、
化粧シートの法線方向に対して８２°傾斜した方向から前記表面に光を投射した場合、化粧シートの法線方向からの観察において長さｄが３ｍｍ以上且つ幅ｗが３ｍｍ以上の影が形成される、化粧シート。
【０００８】
本発明による第１の化粧シートにおいて、
前記表面の高さを示すヒストグラムにおいて、最も度数が多い区間および二番目に度数が多い区間の一方の平均高さは、前記最も度数が多い区間および前記二番目に度数が多い区間の他方の平均高さの２／３以下であるようにしてもよい。
【０００９】
本発明による第２の化粧シートは、
凹凸面としての表面を有した化粧シートであって、
前記表面の高さを示すヒストグラムにおいて、最も度数が多い区間および二番目に度数が多い区間の一方の平均高さは、前記最も度数が多い区間および前記二番目に度数が多い区間の他方の平均高さの２／３以下である。
【００１０】
本発明による第１の化粧ボードは、
上述した本発明による第１又は第２の化粧シートと、
前記化粧シートを積層された下地材と、を備える化粧ボードであって、
前記下地材の前記化粧シートを貼合される被覆面は、部分的な凹凸を有し、
前記化粧ボードの法線方向に対して８２°傾斜した方向から前記化粧シートが積層されていない前記下地材の前記被覆面に光を投射した場合における、前記化粧ボードの前記法線方向から観察される前記凹凸に起因した影の長さを基準長さとして、前記化粧ボードの法線方向に対して８２°傾斜した方向から、前記被覆面の前記凹凸上に位置しない領域となる前記化粧シートの前記表面に、光を投射した場合、前記化粧ボードの前記法線方向から観察において基準長さ以上の長さの影が形成される。
【００１１】
本発明による第２の化粧ボードは、
凹凸面としての表面を有した化粧シートと、
前記化粧シートを積層された下地材と、を備える化粧ボードであって、
前記下地材の前記化粧シートを貼合される被覆面は、部分的な凹凸を有し、
前記化粧ボードの法線方向に対して８２°傾斜した方向から前記化粧シートが積層されていない前記下地材の前記被覆面に光を投射した場合における、前記化粧ボードの前記法線方向から観察される前記凹凸に起因した影の長さを基準長さとして、前記化粧ボードの法線方向に対して８２°傾斜した方向から、前記被覆面の前記凹凸上に位置しない領域となる前記化粧シートの前記表面に、光を投射した場合、前記化粧ボードの前記法線方向から観察において基準長さ以上の長さの影が形成される。
【発明の効果】
【００１２】
本発明によれば、不陸を目立たなくすることができる。
【図面の簡単な説明】
【００１３】
【図１】図１は、本発明の一実施の形態を説明するための図であって、化粧ボート及び化粧シートを示す縦断面図である。
【図２】図２は、図１の化粧シートの層構成の一例を示す図である。
【図３】図３は、仮想の凸状不陸を説明するための図である。
【図４】図４は、仮想の凸状不陸上に貼り付けられた化粧シートの表面を示す写真である。
【図５】図５は、空間周波数と不陸隠蔽性との関係を示すグラフである。
【図６】図６は、或る波長成分のパワースペクトルと不陸隠蔽性との関係を示すグラフである。
【図７】図７は、化粧シートの一例について測定された表面高さのヒストグラムである。
【図８】図８は、図７で計測対象となった化粧シートの表面を示す写真である。
【図９】図９は、図８に示された化粧シートの一断面における表面高さ変動を示すグラフである。
【図１０】図１０は、化粧シートの他の例について測定された表面高さのヒストグラムである。
【図１１】図１１は、図１０で計測対象となった化粧シートの表面を示す写真である。
【図１２】図１２は、図１１に示された化粧シートの一断面における表面高さ変動を示すグラフである。
【発明を実施するための形態】
【００１４】
以下、図面を参照して本発明の一実施の形態について説明する。
【００１５】
なお、本件明細書に添付する図面においては、図示と理解のしやすさの便宜上、適宜縮尺および縦横の寸法比等を、実物のそれらから変更し誇張してある。
【００１６】
また、本明細書において、「板」、「シート」、「フィルム」の用語は、呼称の違いのみに基づいて、互いから区別されるものではない。例えば、「シート」は板やフィルムと呼ばれ得るような部材も含む概念であり、したがって、「化粧シート」は、「化粧板」や「化粧フィルム」と呼ばれる部材と呼称の違いのみにおいて区別され得ない。
【００１７】
図１及び図２は、本発明による一実施の形態を説明するための図である。図１に示すように、化粧ボード１０は、下地材３０及び化粧シート２０を有している。化粧シート２０は、互いに対向する一対の主面として、表面２１及び裏面２２を有している。図１に示すように、化粧シート２０は、下地材３０の被覆面３１上に積層されて使用される。このとき、化粧シート２０の裏面２２が、下地材３０の被覆面３１に対面する。一方、化粧シート２０の表面２１は、凹凸面として形成されている。化粧シート２０は、表面２１の凹凸形状によって優れた意匠性を発現することができる。とりわけここで説明する化粧シート２０及び化粧ボード１０では、下地材３０の被覆面３１に形成された凹凸３２の影響を効果的に排除して、期待された意匠性を有効に発揮することを可能にするための工夫がなされている。
【００１８】
まず、化粧ボード１０及び化粧シート２０の構成を概略的に説明し、その後、化粧シート２０の表面２１の構造上の特徴について説明する。
【００１９】
化粧シート２０は、建築物の壁、床及び天井等の内装材、車両等の内装材、家具や電気機器等の最表面を形成するようになる部材である。したがって、後述する表面形状を確保し得る限りにおいて、内装材、家具、電気機器等の用途に応じた構成を取り得る。図２に示された一例において、化粧シート２０は、表面２１を形成する表面層２０１と、表面層２０１を支持する基材２０２と、基材２０２に積層され裏面２２を形成する粘着層２０３と、を有している。
【００２０】
ここで、壁紙として機能する化粧シート２０の製造方法の一例を説明する。また、以下の説明の中で、化粧シート２０の材料についても例示する。
【００２１】
まず、繊維質シート等で形成された基材２０２の上に、表面層２０１をなすようになる発泡剤を含有した樹脂層Ａを積層する。このとき、Ｔダイスを用い、溶融押し出しラミネート法により、樹脂層Ａを非発泡状態で基材２０２に接合させる。なお、樹脂層Ａの表裏に、非発泡の透明樹脂層Ｂ，Ｃを設けて、３層押し出しをすることもできる。樹脂層Ａの材料組成としては、主原料にエチレン−メタクリル酸共重合体（ＥＭＡＡ）、エチレン−酢酸ビニル共重合体（ＥＶＡ）などのオレフィン系樹脂を使用することができる。その他の材料として、無機充填剤、顔料、発泡剤、発泡助剤、架橋助剤、安定剤、滑剤等を公知の配合でブレンドすることができる。発泡前の表面層２０１は０．０４〜０．１ｍｍ程度の厚みで製膜し、後の工程で発泡させて０．３〜１．０ｍｍ程度の発泡樹脂層とすることが好ましい。
【００２２】
樹脂層Ａの表側となる面（基材２０２とは反対側の面）に設ける透明樹脂層Ｂとしては、エチレン−メタクリル酸共重合体（ＥＭＡＡ）、エチレン−酢酸ビニル共重合体（ＥＶＡ）などが好ましい。また、表面強度の向上、耐汚染性の向上、押し出し時の目ヤニ防止などの観点から、厚みは５〜２０μｍとすることが好ましい。一方、樹脂層Ａの裏側となる面（基材２０２に接する面）に設ける透明樹脂層Ｃとしては、エチレン−酢酸ビニル共重合体（ＥＶＡ）が好ましい。基材２０２との密着、押し出し時の目ヤニ防止などの観点から、厚みは５〜１０μｍとすることが好ましい。
【００２３】
次に、必要に応じて、樹脂層Ａ（または透明樹脂層Ｂ）の上に絵柄模様層を設ける。絵柄模様層の形成にはグラビア印刷、フレキソ印刷等が用いられる。印刷インキとしては、着色剤、結着材樹脂、溶剤を含む印刷インキを使用できる。これらのインキは公知、又は市販のものを使用してもよい。さらに絵柄模様層の上に表面保護層を積層してもよい。表面保護層についてもグラビア印刷、フレキソ印刷等、フィルムラミネート、押し出しラミネート等公知の方法を用いることができる。表面保護層は艶調整が目的であれば、例えば、シリカなどの既知フィラーを含んでもよい。表面強度が目的であれば、電離放射線硬化型樹脂を樹脂成分として含有するものが好適である。厚みは０．１〜１５μｍが好ましい。
【００２４】
続いて、上述した化粧シート基材に電離放射線を照射してもよい。樹脂層Ａに電子線を照射することで発泡性や強度を調整することができる。電子線照射の条件としては、加速電圧１５０〜２５０ｋｖ、照射量１０〜７０ｋＧｙがよい。
【００２５】
上記のように基材２０２上に表面層２０１を形成すると、これに続いて、化粧シート基材を加熱発泡炉に通し、表面層２０１の厚みを５〜１０倍となるように発泡させる。加熱条件は、熱分解型発泡剤の分解により発泡樹脂層が形成される条件であれば特には限定されないが、炉内温度２００〜４００℃が好ましい。
【００２６】
次に、最表層（表面層２０１）に凹凸形状（エンボス模様）を賦型する。凹凸形状は、エンボス加工（エンボス版を用いた凹凸賦型）により賦型することができる。表面２１に付与される凹凸形状としては、木目調模様、石板表面模様、布地テクスチュア（織目調）模様、梨地調模様、砂目調模様、ヘアライン模様等が例示される。エンボス版の製造は、種々の方法があるが、例えば、特開２０１０−２８７２０４、特開２０１１−１４８１８４に記載の方法を採用することができる。
【００２７】
その後、表面層２０１とは反対側となる基材２０２の裏側面上に粘着層２０３を形成することで、化粧シート２０が得られる。
【００２８】
以上に説明した化粧シート２０が積層されるようになる下地材３０は、化粧シート２０の用途に応じて決定される。化粧シート２０が、壁、床、天井等の表面を加飾する内装材をなす場合、下地材３０は、例えば各種樹木の木材からなる単板、合板、集成材、パーチクル板、纖維板等の木製板材、コンクリート、モルタル等のセメント系材料、石膏ボード、珪酸カルシウム等からなる無機非金屬板、或いは鉄、アルミニウム等からなる金屬板となる。化粧シート２０が、車両等の内装材をなす場合、下地材３０は、例えば樹脂製板材、或いは金屬板となる。化粧シート２０が、家具や電気製品をなす場合、下地材３０は、例えば木製板材や樹脂製板材となる。
【００２９】
次に、化粧シート２０の表面２１に形成される凹凸形状（凹凸模様）について説明する。
【００３０】
化粧シート２０は、下地材３０の被覆面３１上に積層され、下地材３０に対して固定される。下地材３０の被覆面３１は、平坦面であることが好ましい。この場合、化粧シート２０の表面２１に皺等の変形が生じることを抑制することができ、これにより、化粧シート２０の表面２１が期待された意匠性を発揮することができる。しかしながら、既に説明したように、被覆面３１は、その一部に凹凸３２を含むこともある。一例として、螺子等を用いて下地材３０を他の部材に固定する場合、螺子の頭部が下地材３０の被覆面３１から突出して凸部を形成することがある。また逆に、下地材３０の被覆面３１に螺子の頭部を収容する穴（凹み）が形成され、当該穴に収容された螺子頭部上に凹部が形成されることもある。さらに、複数の板材を並べて下地材３０を形成する場合には、複数の板材間に溝状の凹部が形成される。下地材３０の被覆面３１に形成される凹凸は、「不陸」と呼ばれ、その存在が、化粧シート２０越しに視認されることもある。この場合、化粧シート２０の表面２１が創出する意匠性を低下させるだけでなく、さらに、その存在自体が化粧シート２０及び化粧ボード１０の意匠性を害する。そこで、本件発明者らは、不陸の隠蔽について鋭意検討を重ねたところ、不陸を目立たなくさせ得る凹凸面の構成を見出した。
【００３１】
最初に、本件発明者らが行った実験について説明する。この実験では、不陸を目立たなくさせる性能、すなわち不陸隠避性と、化粧シート２０の表面２１が持つ断面形状と、の関係を調査した。
【００３２】
この実験では、まず、織目調模様および非織目調模様の凹凸形状を表面に付与された合計４０種類の柄の化粧シートを準備した。次に、図３に示すように、平坦な被覆面上に、直径１０ｍｍの平面視が円形状のシールｓを貼り、仮想の凸状不陸を形成した。凸状不陸は、厚さ１００μｍのシールｓを１枚貼り付けた第１仮想不陸ｃ１と、同一のシールｓをそれぞれ２〜５枚重ねて貼り付けた第２仮想不陸ｃ２〜第５仮想不陸ｃ５と、を形成した。４０種類の柄の化粧シートを、それぞれ、被覆面上の第１仮想不陸ｃ１〜第５仮想不陸ｃ５が形成されている領域に貼り付けた。図４は、第１仮想不陸ｃ１、第２仮想不陸ｃ２、第４仮想不陸ｃ４及び第５仮想不陸ｃ５上に貼り付けられた化粧シートの一例について、その表面を示している。
【００３３】
４０種類の柄の化粧シートのそれぞれについて、各化粧シートの表面を肉眼目視観察し、第１仮想不陸ｃ１〜第５仮想不陸ｃ５の存在がそれぞれ視認されるか否かを確認した。化粧シートの各柄に対し、第１仮想不陸ｃ１〜第５仮想不陸ｃ５が視認されなかった数と同数の点数を付与した。すなわち、第１仮想不陸ｃ１〜第５仮想不陸ｃ５のいずれも視認されなかった柄の評価を５点とし、第５仮想不陸ｃ５のみが観察された柄の評価を４点とし、第５仮想不陸ｃ５及び第４仮想不陸ｃ４のみが観察された柄の評価を３点とし、５仮想不陸ｃ５、第４仮想不陸ｃ４及び第３仮想不陸ｃ３のみが観察された柄の評価を２点とし、５仮想不陸ｃ５、第４仮想不陸ｃ４、第３仮想不陸ｃ３及び第２仮想不陸ｃ２のみが観察された柄の評価を１点とし、５仮想不陸ｃ５〜第１仮想不陸ｃ１のいずれも観察された柄の評価を０点とした。そして、同一柄の化粧シート当たり２〜１０箇所について斯かる評価点を求め、それらの複数の評価点の平均値を以って当該柄の化粧シートの不陸隠蔽性の評価點とした。此の評価点数が２．５点以上の柄を不陸隠蔽性に高い柄と評価した。
【００３４】
次に、各柄の化粧シートを一以上準備し、合計３８８のサンプルを作製した。そして、３８８のサンプルの各々について、表面の高さ変動について画像データを採取した。図９及び図１２は、表面の高さ変動の例を示している。画像データの採取には、キーエンス社製の３Ｄ形状測定器ＶＲ３０００を利用した。次に、表面の高さ変動を表す線形状を周波数分解し、各サンプルをなす柄に対して付与された不陸隠蔽性の評価点との、相関を調査した。図５に示されたグラフは、各空間周波数と不陸隠蔽性への相関度合いとの関係を示している。図５のグラフにおいて、縦軸が不陸隠蔽性への相関度合いを示し、横軸が空間周波数を示している。図５のグラフから、所定の仮想不陸に対して、表面高さ変動に含まれる特定の空間周波数の成分が、優れた不陸隠蔽性を示すことが知見された。より具体的には、直径１０ｍｍの平面視円形状の仮想不陸に対して、表面高さ変動に含まれる波長が３ｍｍ〜１２．８ｍｍとなる成分が、優れた不陸隠蔽性を示していた。
【００３５】
さらに、本件発明者らは、波長が５．１２ｍｍとなる成分のパワースペクトルと、不陸隠蔽性の評価点との、相関を調査した。図６に示されたグラフは、各パワースペクトルでの不陸隠蔽性への相関度合いを示している。図６のグラフにおいて、縦軸が不陸隠蔽性への相関度合いを示し、横軸がパワースペクトルの値を示している。図６のグラフから、表面高さ変動に含まれる波長が５．１２ｍｍとなる成分については、４．６μｍ２程度のパワースペクトルを有する場合に、優れた不陸隠蔽性が発揮されることが知見された。
【００３６】
以上の実験から、本件発明者らは、不陸を効果的に目立たなくするには、化粧シート２０の表面２１の高さ変動が、特定の波長成分を特定のパワースペクトル以上で含むことが有効であることを確認した。そして、本件発明者らは、このように実験で確認された事実が、不陸を効果的に目立たなくする上で、化粧シート２０の表面２１の高さ変動が、所定振幅以上で所定の波長成分の凹凸を含むことが有効であること、を意味していると考えた。この観点から、さらに実験を繰り返したところ、化粧シート２０の表面２１が、不陸によって形成される影、言い換えると不陸の存在によって形成される暗部と同程度の長さの影（暗部）をつくる凸部と、当該影の形成を阻害しない凹部（または平坦部）と、を含むことで、不陸を効果的に目立たなくさせることが可能になるとの結論に至った。
【００３７】
以上の知見に基づき、不陸を効果的に目立たなくさせる具体的な構成として、以下に説明する三つの構成を提案する。
【００３８】
（第１条件（ａ））
まず不陸を目立たなくさせる第１の特徴として、次の条件（ａ）を提案する。
・条件（ａ）：化粧シート２０の法線方向ｎｄに対して８２°傾斜した方向から表面２１に光を投射した場合、化粧シート２０の法線方向からの観察において長さｄが３ｍｍ以上且つ幅ｗが３ｍｍ以上の影ｂが形成される。
【００３９】
ここで、化粧シートの法線方向ｎｄとは、化粧シートのシート面に対する法線方向ｎｄであり、化粧シートのシート面とは、化粧シートを全体的かつ大局的に見た場合において化粧シートの平面と一致する面のことを指す。通常、化粧シート２０は、表面２１の高低差を有するものの、全体的かつ大局的には概ねの一定の厚さを有することになる。したがって、裏面２２が平坦面に接合している場合には、化粧シートの法線方向は裏面への法線方向と一致する。また、影とは、表面２１の凸部２１ａによって光が遮断される表面２１上の領域のことである。影の長さｄは、化粧シートの法線方向ｎｄから観察した場合に光の入射方向と平行な方向に沿った影ｂの長さを指している。図１は、光の入射方向と平行な面を示しており、したがって、条件（ａ）で規定される影ｂの長さｄは、図１に示された影ｂの化粧シート２０のシート面に沿った長さとなる。
【００４０】
不陸が感知されることによる意匠性に低下は、化粧シート２０をその法線方向ｎｄから観察した場合に問題となりやすい。そして、化粧シート２０の法線方向ｎｄから観察した場合に、不陸が感知されやすくなるのは、化粧シート２０の法線方向に対して大きく傾斜した方向、典型的には、化粧シート２０の法線方向ｎｄに対して８２°傾斜した方向から光が入射して、不陸に起因した影が形成される場合である。
【００４１】
一方、意匠性の低下を引き起こす典型的な不陸として、下地材３０を固定するための螺子等の留め具に関連した凹凸が挙げられる。下地材３０を固定するための螺子を用いる場合、下地材３０には螺子頭部が収容される穴（凹み）が形成される。螺子頭部が、下地材３０の穴内に完全に収容される場合には、螺子頭部と被覆面３１との間に凹部としての不陸が形成される。また、螺子頭部が下地材の被覆面３１から突出している場合、螺子頭部自体が凸部としての不陸を形成する。当然に下地材３０を固定するための螺子等の留め具、下地材３０の用途等に応じて異なるが、大きく異なることなく概ね一定の大きさとなる。そして、螺子等の留め具に起因した典型的な不陸は、化粧シート２０の法線方向ｎｄに対して８２°傾斜した方向から光が入射する場合、当該光を遮光し、この不陸の存在によって形成される影の長さは３ｍｍ程度となる。とりわけ、化粧シート２０及び化粧ボード１０が内装材である場合には、木製板材や石膏ボードからなる下地材３０を固定するための螺子の大きさは大きく変動することはなく、長さが３ｍｍ程度となる影を形成することになる。
【００４２】
したがって、条件（ａ）を満たす場合には、化粧シート２０の表面２１が、螺子等の留め具に起因した典型的な不陸によって形成される影と同程度の影を形成することができる。これにより、条件（ａ）を満たす化粧シート２０によれば、不陸の存在が視認されることを効果的に防止することができ、これにより、化粧シート２０の表面２１が期待された意匠性を不陸によって害されることなく発揮することができる。とりわけ、内装材、例えば壁紙に用いられる化粧シート２０及び化粧ボード１０が、条件（ａ）を満たす場合には、注意深く観察しない限り、化粧シート２０の法線方向からの観察において不陸が視認されることを回避することが可能となる。
【００４３】
（第２の条件（ｂ））
次に、不陸の存在によって形成される暗部と同程度の長さの影（暗部）をつくる凸部と、当該影の形成を阻害しない凹部（または平坦部）と、を含むことで、不陸を効果的に目立たなくさせるといった技術的思想を具現化するための第２の特徴として、次の条件（ｂ）を提案する。
・条件（ｂ）：化粧ボード１０の法線方向ｎｄに対して８２°傾斜した方向から化粧シート２０が積層されていない下地材３０の被覆面３１に光を投射した場合における、化粧ボード１０の法線方向ｎｄから観察される被覆面３１の凹凸３２に起因した影ｂの長さｄを基準長さｓｄとして、化粧ボード１０の法線方向ｎｄに対して８２°傾斜した方向から、被覆面３１の凹凸３２上に位置しない領域となる化粧シート２０の表面２１に、光を投射した場合、化粧ボード１０の法線方向ｎｄからの観察において基準長さｓｄ以上の長さｄの影ｂが形成される。
【００４４】
ここで、化粧ボードの法線方向ｎｄとは、化粧シートの法線方向ｎｄと一致する方向である。通常、化粧シート２０は、表面２１の高低差を有するものの、全体的かつ大局的には概ね一定の厚さを有することになる。したがって、被覆面３１が平坦面を有する場合には、化粧ボードの法線方向ｎｄは被覆面３１への法線方向と一致する。影の長さｂは、条件（ａ）と同様に取り扱う。
【００４５】
化粧シート２０が積層されていない下地材３０の被覆面３１に光を投射した場合に被覆面３１に上に形成される影を基準影ｓｂと定義する。基準長さｓｄは、基準影ｓｂの被覆面３１上での長さに相当し、言い換えると、被覆面３１上での不陸をなす凹凸３２によって生じる影の長さに相当する。したがって、条件（ｂ）を満たすことは、化粧シート２０の表面２１での高さ変動が、不陸が形成する影と同程度の影を形成することを意味する。したがって、条件（ｂ）を満たす化粧ボード１０によれば、不陸の存在が視認されることを効果的に防止することができ、これにより、化粧シート２０の表面２１が期待された意匠性を不陸によって害されることなく発揮することができる。とりわけ、内装材、例えば壁紙に用いられる化粧ボード１０が、条件（ｂ）を満たす場合には、注意深く観察しない限り、化粧シート２０の法線方向からの観察において不陸が視認されることを回避することが可能となる。
【００４６】
なお、図１に示された例において、被覆面３１上の凹凸３２は、凹部３２ａとして形成されている。そして、この凹部３２ａに起因して形成される被覆面３１上での基準影ｓｂの基準長さｓｄは、表面２１の第２凸部２１ｂによって形成される表面２１上での影ｂ２の長さよりも長くなっているが、第１凸部２１ａによって形成される表面２１上での影ｂ１の長さよりも短くなっている。すなわち、図示された例においては、化粧シート２０の表面２１の高さ変動によって、基準長さｓｄ以上の長さの影ｂ１が表面２１上に形成される。これにより、不陸の形態を問わず、不陸を効果的に目立たなくさせることができる。
【００４７】
ところで、被覆面３１の凹凸３２上に、化粧シート２０が積層される場合、化粧シート２０は、通常、被覆面３１の凹凸３２を平坦化するように働く。すなわち、下地材３０に積層された化粧シート２０のシート面の高さ変動は、被覆面３１の高さ変動よりも緩和されるようになる。図１に示された例においても、基準影ｓｂの被覆面３１上での長さ（基準長さ）ｓｄよりも、被覆面３１の凹凸３２上となる領域において当該凹凸３２にともなって形成される化粧シート２０の表面２１上での影の長さｂ３の方が短くなっている。したがって、実際には、特徴（ｂ）よりも緩い条件によっても、不陸を効果的に目立たなくさせることができる。本件発明者が確認したところ、次の条件（ｂ’）によって、十分効果的に不陸を目立たなくさせることができた。
・条件（ｂ’）：化粧ボード１０の法線方向ｎｄに対して８２°傾斜した方向から化粧シート２０が積層されていない下地材３０の被覆面３１に光を投射した場合における、化粧ボード１０の法線方向ｎｄから観察される被覆面３１の凹凸３２に起因した影ｂの長さｄを基準長さｓｄとして、化粧ボード１０の法線方向ｎｄに対して８２°傾斜した方向から、被覆面３１の凹凸３２上に位置しない領域となる化粧シート２０の表面２１に、光を投射した場合、化粧ボード１０の法線方向ｎｄからの観察において基準長さｓｄの８０％以上の長さｄの影ｂ、より好ましくは前記基準長さｓｄの９０％以上の長さｄの影ｂ、さらに好ましくは、前記基準長さｓｄ以上の長さｄの影ｂが形成される。
【００４８】
（第３の条件（ｃ））
次に、不陸の存在によって形成される暗部と同程度の長さの影（暗部）をつくる凸部と、当該影の形成を阻害しない凹部（または平坦部）と、を含むことで、不陸を効果的に目立たなくさせるといった技術的思想を具現化するための第３の特徴として、次の条件（ｃ）を提案する。
・条件（ｃ）：表面２１の各位置での高さを示すヒストグラムにおいて、最も度数が多い区間（階級、ビン）及び二番目に度数が多い区間の一方の平均高さが、最も度数が多い区間及び二番目に度数が多い区間の他方の平均高さの２／３以下となっている。
【００４９】
条件（ｃ）において、表面２１の高さを示すヒストグラムを作成するにあたり、まず、表面２１の各位置での高さを計測する必要がある。表面２１の高さの計測は、まず、計測対象となる化粧シート２０を平坦面に貼合する。次に、１００ｍｍ×１００ｍｍのサンプルを作製し、キーエンス社製の３Ｄ形状測定器ＶＲ３０００により、サンプル内の各位置での高さを測定する。高さの計測位置が、１００ｍｍ×１００ｍｍのサンプル内の概ね全域に亘るようにして、２５００００箇所以上の計測位置、好ましくは１００００００箇所以上の計測位置で高さを測定する。次に、ヒストグラムの作製にあたり、最小の測定値と最大の測定値との間を、１００以上の区間に分割する。通常は、デジタル処理の便宜上、２５６区間に分割する。この区間は、「ビン」または「階級」とも呼ばれ、作製されたヒストグラムでは、各区間に含まれる測定値の数（度数）を縦軸に示す。
【００５０】
図７及び図１０は、実際の高さ計測値に基づいて作製されたヒストグラムの一例を示している。図７に示されたヒストグラムは、図８に示された模様を有する化粧シートの表面高さ分布に関するデータであり、図９には図８に示された化粧シートの一断面における表面高さ変動を示している。同様に、図１０に示されたヒストグラムは、図１１に示された模様を有する化粧シートの表面高さ分布に関するデータであり、図１２には図１１に示された化粧シートの一断面における表面高さ変動を示している。
【００５１】
不陸を隠避するには、不陸の存在によって形成される暗部と同程度の長さの影（暗部）をつくる凸部を設けるだけでは足りず、当該影の形成を阻害しない凹部（または平坦部）を含むことも重要となる。したがって、不陸を隠蔽するための影の形成を促進するため、一様な高さ分布や或いは正規分布に従う高さ分布と比較し、ヒストグラムにおいて複数のピークが形成される高さ分布を持つことが有効となる。しかも、面積比率が高くなる高さの高い部分によって形成される影が、面積比率が高くなる高さの低い部分上に十分な長さで形成されることを実現すべく、面積比率が高くなる高さの高い部分と面積比率が高くなる高さの低い部分との間に十分な高低差が形成されていることが好ましい。すなわち、高さ分布を示すヒスとグラムにおいて二つのピークが明瞭に形成される高さ分布が、不陸の隠蔽に好ましい。この点について本件発明者らが鋭意検討を重ねたところ、条件（ｃ）が満たされる場合、不陸を効果的に目立たなくすることができた。とりわけ、内装材、例えば壁紙に用いられる化粧ボード１０が、条件（ｃ）を満たす場合には、注意深く観察しない限り、化粧シート２０の法線方向からの観察において不陸が視認されることを回避することが可能となる。
【００５２】
図７に示されたヒストグラムにおいて、最も度数が高い区間は、表面高さが６９１μｍ以上６９８μｍ未満となる区間であった。二番目に度数が高い区間は、表面高さが２８５μｍ以上２９２μｍ未満となる区間であった。二番目に度数の多い区間の平均高さは、最も度数の多い区間の平均高さの２／３以下となり、図７に示されたヒストグラムは、条件（ｃ）を満足した。実際に、図８に示された模様を有する化粧シートを、不陸を含んだ被覆面３１上に積層したところ、注意深く観察しても、上述した典型的な不陸を感知することはなかった。
【００５３】
一方、図１０に示されたヒストグラムにおいて、最も度数が高い区間は、表面高さが６５７μｍ以上６６１μｍ未満となる区間であった。二番目に度数が高い区間は、表面高さが６３４μｍ以上６３８μｍ未満となる区間であった。最も度数の多い区間の平均高さは６３６μｍであった。すなわち、最も度数の多い区間と、二番目に度数の多い区間は、高さを示す横軸に沿って隣り合う区間となった。この結果、最も度数の多い区間の平均高さ６５９μｍと二番目に度数の多い区間の平均高さ６３６μｍとの間に大きな差はなく（即ち、二番目に度数の多い区間の平均高さは最も度数の多い区間の平均高さの２／３を超過）、図１１に示されたヒストグラムは、条件（ｃ）を満足しなかった。実際に、図１１に示された模様を有する化粧シートを、不陸を含んだ被覆面３１上に積層したところ、通常の観察において、上述した典型的な不陸を感知し得た。
【００５４】
以上に説明した一実施の形態において、化粧シート２０は、凹凸面としての表面２１を有しており、化粧シート２０の法線方向ｎｄに対して８２°傾斜した方向から表面２１に光を投射した場合、化粧シート２０の法線方向ｎｄからの観察において長さｄが３ｍｍ以上且つ幅ｗが３ｍｍ以上の影ｂが形成される。このような化粧シート２０によれば、下地材３０を固定するための螺子等の留め具に起因した典型的な不陸によって形成される影ｂと同様の長さｄを有する影ｂが、化粧シート２０の表面２１の凹凸形状によって、表面２１上に形成されるようになる。これにより、典型的な不陸を効果的に隠蔽して、当該不陸の存在が目視によって感知されることを効果的防止することができる。したがって、不陸の存在によって化粧シート２０の表面２１の模様（凹凸形状）が害されることなく、化粧シート２０が期待された意匠性を効果的に発揮することができる。
【００５５】
また、上述した一実施の形態では、化粧シート２０の表面２１の高さを示すヒストグラムにおいて、最も度数が多い区間（階級、ビン）及び二番目に度数が多い区間の一方の平均高さは、最も度数が多い区間及び二番目に度数が多い区間の他方の平均高さの２／３以下となっている。このような表面２１は、十分な長さの影（暗部）をつくる高高度部（例えば凸部と呼ばれるような部分）と、当該影の形成を阻害しない一定の面積比率を有した低高度部と、を含むようになる。したがって、不陸の存在によって形成される影（暗部）と同様の影ｂが、化粧シート２０の表面２１の凹凸形状によって、表面２１上に形成されるようになる。これにより、不陸を効果的に隠蔽して、当該不陸の存在が目視によって感知されることを効果的防止することができる。したがって、不陸の存在によって化粧シート２０の表面２１の模様（凹凸形状）が害されることなく、化粧シート２０が期待された意匠性を効果的に発揮することができる。
【００５６】
さらに、上述した一実施の形態において、化粧ボード１０の法線方向ｎｄに対して８２°傾斜した方向から化粧ボード１０が積層されていない下地材３０の被覆面３１に光を投射した場合における、化粧ボード１０の法線方向ｎｄから観察される凹凸３２に起因した影ｂの長さを基準長さｓｄとして、化粧ボード１０の法線方向ｎｄに対して８２°傾斜した方向から、被覆面３１の凹凸３２上に位置しない領域となる化粧シート２０の表面２１に、光を投射した場合、化粧ボード１０の法線方向ｎｄから観察において基準長さｓｄ以上の長さｄの影ｂが形成される。この化粧シート２０は、その表面２１での高さ変動によって、不陸が形成する影と同程度の影を形成することができる。これにより、不陸の存在が視認されることを効果的に防止することができ、したがって、化粧シート２０の表面２１が期待された意匠性を不陸によって害されることなく発揮することができる。
【００５７】
以上、本発明を図示する実施の形態に基づいて説明したが、本発明はこれらの実施形態に限定されるものではなく、この他にも種々の態様で実施可能である。
【符号の説明】
【００５８】
１０    化粧ボード
２０    化粧シート
２１    表面
２１ａ  凸部
２２    裏面
２０１  表面層
２０２  基材
２０３  粘着層
３０    下地材
３１    被覆面
３２    凹凸
３２ａ  凹部
ｂ      影
ｄ      長さ
【図１】
2018100502.tif 000003
【図２】
2018100502.tif 000004
【図３】
2018100502.tif 000005
【図４】
2018100502.tif 000006
【図５】
2018100502.tif 000007
【図６】
2018100502.tif 000008
【図７】
2018100502.tif 000009
【図８】
2018100502.tif 000010
【図９】
2018100502.tif 000011
【図１０】
2018100502.tif 000012
【図１１】
2018100502.tif 000013
【図１２】
2018100502.tif 000014